(57)【要約】  本発明は、低比率の散乱放射線を含むＸ線画像を生成する、方法、この方法を行うためのＸ線装置、及びこの装置のために用いられる検出装置に関する。Ｘ線は、この場合、２つのＸ線検出器を有する検出装置により検出され、第１のＸ線検出器には、第２のＸ線検出器が個別の検出素子により散乱放射線及び主放射線を検出することができるようにした介在の開口部が設けられる。第２のＸ線検出器により与えられる信号は、第１のＸ線検出器により生成される画像に含まれる散乱放射線の割合を判定し、当該割合の散乱放射線の第１の画像をほぼ排除するために用いられる。
2009533125.tif 000002
【特許請求の範囲】
【請求項１】
低比率の散乱放射線を含むＸ線画像を生成する方法であって、
ａ．第１の画像の生成のために第１のＸ線検出器によりＸ線放射線の検出をなすステップと、
ｂ．前記第１のＸ線検出器から距離を置いて配される第２のＸ線検出器により前記第１のＸ線検出器における開口部を通じるＸ線の検出をなすステップと、
ｃ．当該２つのＸ線検出器からの信号を合成して、前記第１の画像と比べて低減された散乱放射線の割合を含むＸ線画像を生成するステップと、
を有する方法。
【請求項２】
請求項１に記載の方法であって、前記開口部を通じて散乱放射線が突き当たるものの主放射線は突き当たらない前記第２のＸ線検出器における検出素子からの信号は、前記第１の画像に含まれる前記散乱放射線を判定するために用いられる、方法。
【請求項３】
請求項１に記載の方法であって、前記開口部を通じて主放射線が突き当たる検出素子からの信号は、前記第１のＸ線検出器における前記開口部により生じる画像のギャップを充填するために用いられる、方法。
【請求項４】
請求項１に記載の方法を実行するＸ線装置であって、
ａ．Ｘ線源と、
ｂ．前記Ｘ線源により放出されたＸ線を検出する検出装置であって、互いに距離を置いて配される第１及び第２のＸ線検出器を有し、前記第１のＸ線検出器には、前記第２のＸ線検出器の個々の検出素子にＸ線が突き当たる際に介在する開口部が設けられるようにしている検出器と、
ｃ．前記Ｘ線検出器により供給される信号を合成して低比率の散乱放射線を含むＸ線画像を生成するための手段と、
を有する装置。
【請求項５】
請求項４に記載のＸ線装置であって、前記第２のＸ線検出器に隣接する側において、前記開口部の領域を除き、前記第１のＸ線検出器は、Ｘ線の吸収性のある材料の層を具備する、装置。
【請求項６】
請求項４に記載のＸ線装置であって、前記第１のＸ線検出器は、円錐形状に前記開口部の周りを斜角形成され、これにより、前記散乱放射線がほぼ影響を受けずに前記開口部を通過することを可能にする、装置。
【請求項７】
請求項４に記載のＸ線装置であって、少なくとも前記第１のＸ線検出器は、スリット形態の開口部により互いに分離されている複数の副検出器から構成され、主放射線が突き当たる前記第２のＸ線検出器の検出素子からの信号は、前記第１のＸ線検出器により検出されたＸ線画像を補足するために用いられる、装置。
【請求項８】
請求項７に記載のＸ線装置であって、前記開口部の長手方向において散乱させられる散乱放射線を抑制するためのバッキー型ストリップを有し、これらストリップは、当該２つのＸ線検出器の間に配され前記開口部に直角に延びる、装置。
【請求項９】
請求項４に記載のＸ線装置のための検出装置であって、互いに距離を置いて配される２つのＸ線検出器を有し、これらのうちの一方は、空間的に均等に分散させられた開口部を具備する、装置。
【請求項１０】
請求項９に記載の検出装置であって、開口部の設けられた少なくとも前記Ｘ線検出器は、シンチレーション結晶層を有し、前記開口部は、前記Ｘ線に対して透過性のある光伝導性物質が充填される、装置。
【請求項１１】
請求項９に記載の検出装置であって、当該２つの検出器の検出素子は、同じ寸法のものである、装置。
【請求項１２】
請求項９に記載のＸ線検出装置であって、開口部の設けられた前記第１のＸ線検出器の検出素子の寸法は、前記第２のＸ線検出器の検出素子の寸法よりも若干小さく、Ｘ線装置における使用時に、前記第２のＸ線検出器の検出素子の寸法は、前記第２のＸ線検出器と前記Ｘ線源の焦点との間距離が前記第１の検出器の場合における対応の距離よりも大きい場合と少なくとも実質的に同じ量だけ、前記第１のＸ線検出器の検出素子の寸法よりも大きいものとした、検出装置。
【請求項１３】
請求項９に記載の検出装置であって、前記第２のＸ線検出器は、前記第１の検出器において前記開口部を通じてＸ線が突き当たることのできる領域においてのみ検出素子を有する、装置。
【発明の詳細な説明】
【技術分野】
【０００１】
本発明は、低比率の散乱放射線を含むＸ線画像を生成する方法、この方法を行うためのＸ線装置、及びこのようなＸ線装置のために用いられる検出装置に関する。
【背景技術】
【０００２】
検査されつつある被検体において生じた散乱放射線は、当該検査されつつある被検体から撮影されるＸ線画像の品質に対して悪影響を及ぼすことが知られている。したがつて、多くの検査処理においては、Ｘ線を吸収する材料により形成される複数のストリップを有するバッキーグリッド（Bucky grids）が当該検査されつつある被検体の後方に配される。これらストリップは、Ｘ線のソースの焦点に位置合わせされ、これにより、当該ソースにより放出され当該検査されつつある被検体により散乱されていないＸ線（主放射線）は、ストリップ間を前進し受信又は記録媒体例えばフィルムに通じるようにすることができる。一方、当該検査対象の被検体において生じた散乱放射線のうち、より大きい又はより小さいサイズの割合は、当該ストリップにより吸収され、これは、結果として得られるＸ線画像は、バッキーグリッドなしで得られるＸ線画像と比較して低比率の散乱放射線しか含まないことを意味する。
【０００３】
しかしながら、この利点を相殺するよう、ストリップの面において伝搬する主放射線の割合も抑制されるという不利な点がある。この結果、患者の放射線への露出をバッキーグリッドにより生じた線量の損失を補償するように増加させなければならず、或いは低い信号対雑音比を受け入れなければならない。したがって、様々な用途において、例えばマンモグラフィにおいて、バッキーグリッドの利点は異議の唱えられるものとなっている。
【０００４】
米国特許第６，１３４，２９７号から知られるのは、Ｘ線画像におけるノイズの比率がバッキーグリッドの使用を伴うことなく低下させられる解決策である。この方法において、受信媒体として用いられるものは、Ｘ線が伝達する方向において縦に並べられた２つの（ディジタル）Ｘ線検出器を有する検出装置である。第１の検出器の下流に配される適切な手段の使用によって、この場合、第２のＸ線検出器における或る特定の検出素子には、ほぼ主放射線だけが又はほぼ散乱した放射線だけが突き当たることができるように配置される。これら２つの代替例のうちの１つにおいて、Ｘ線のソースの焦点と位置合わせされる空間的に均等に分散させられた孔が設けられたコリメータが、２つのＸ線検出器の間に配置される。したがって、第２のＸ線検出器は、当該孔の領域において主放射線によってのみ突き当たることが可能であり、これは、第２の検出器では、当該放射線が突き当たる検出素子からの信号から生成されるものは、主放射線の低解像度画像であることを意味している。
【０００５】
この画像から、第１の検出器の主放射線の低解像度画像を計算することができ、この画像は、第１のＸ線検出器からのＸ線画像から得られる低解像度Ｘ線画像から減算される。第１のＸ線検出器から得られる画像は主放射線及び散乱放射線により決まるのに対し、第２のＸ線検出器から得られる画像は主放射線によってのみ影響を受けるので、このようにして形成される差は、第１の画像における散乱放射線にほぼ一致する。散乱放射線のこの画像は、第１の検出器により伝送される高解像度画像から減算され、これがＸ線画像になることになる意図は、散乱した放射線の低減割合を含む。
【０００６】
第２のＸ線検出器から得られる主放射線の低解像度画像の第１のＸ線検出器の主放射線の低解像度画像への変換において、検査されつつある被検体による主放射線の吸収は、地理学的な位置で変化するものであり、考慮に入れなければならないものであり、このことは、粗い推定値だけが、第１の検出器における散乱放射線及び主放射線の割合により形成可能であることを意味している。
【発明の開示】
【発明が解決しようとする課題】
【０００７】
本発明の目的は、低比率の散乱放射線を含むＸ線画像を生成する改良した方法を規定することである。
【課題を解決するための手段】
【０００８】
この目的は、本発明により、低比率の散乱放射線を含むＸ線画像を生成する方法であって、
ａ．第１の画像の生成のために第１のＸ線検出器によりＸ線放射線の検出をなすステップと、
ｂ．前記第１のＸ線検出器から距離を置いて配される第２のＸ線検出器により前記第１のＸ線検出器における開口部を通じるＸ線の検出をなすステップと、
ｃ．当該２つのＸ線検出器からの信号を合成して、前記第１の画像と比べて低減された散乱放射線の割合を含むＸ線画像を生成するステップと、
を有する方法によって達成される。
【０００９】
本発明の場合、入力線量が少ない場合、Ｘ線検出器は、専ら、できる限り完全にＸ線を吸収するときに低い割合のノイズを含むＸ線画像を提供することができるという事実を見越すものである。したがって第１のＸ線検出器において本発明により設けられる開口部が行うものは、Ｘ線が、これら開口部の領域において実質的に減衰しないで第２のＸ線検出器に到達することを可能にすることである。２つのＸ線検出器の間の距離が開口部の直径よりも数倍大きい場合、これら開口部は、主及び散乱放射線を第２の検出器が配されるポイントで分離させる。直線によりＸ線の焦点に当該開口を通じて接続されているそれら検出素子は、主放射線を受信するのに対し、それらの周りにある検出素子は、散乱放射線が突き当たる。実質的に減衰のない形態のＸ線の検出と主放射線及び散乱放射線の分離によって、非常に簡単に散乱放射線を減らす。
【００１０】
本発明について「Ｘ線検出器」と呼ばれるものは、地理的な位置及び強度に依存した電気信号を供給することができる手段であり、概して、各々がＸ線の特定の強度に依存した電気信号を生成するマトリクス状に配された複数のセル又は検出素子を有する。この場合における「開口部」なる文言は、Ｘ線検出器において、Ｘ線量を光又は電気信号に変換（そしてこれによりＸ線を吸収すなわち減衰）する検出層が開口部の領域を遮ることを意味する。但し、この遮りには、材料が充填されるようにしてもよい。必須なのは、この材料によるＸ線の減衰が当該検出層によるＸ線に対して生じる減衰と比較して小さいものとしなければならないことだけである。
【００１１】
原則として、第１及び第２のＸ線検出器からの主放射線の低解像度画像の間に差を見出す米国特許第６，１３４，２９７号に記述されているものと同様の方法により、散乱放射線が判定されることが可能となると思われる。但し、より信頼性の高いものは、（別個に）測定された散乱放射線を用いる請求項２に記載の実施例である。
【００１２】
第１のＸ線検出器における開口部は、当該検出器により生成されたＸ線画像におけるギャップを生成する。当該画像におけるこれらギャップは、原則として、開口部の近辺における検出素子からの画像信号からの補間により充填されることができる。但し、このギャップは、請求項３に記載されている方法の実施例により、より有利な態様で充填可能である。
【００１３】
請求項１に記載の方法を実行するＸ線装置は、
ａ．Ｘ線源と、
ｂ．前記Ｘ線源により放出されたＸ線を検出する検出装置であって、互いに距離を置いて配される第１及び第２のＸ線検出器を有し、前記第１のＸ線検出器には、前記第２のＸ線検出器の個々の検出素子にＸ線が突き当たる際に介在する開口部が設けられるようにしている検出器と、
ｃ．前記Ｘ線検出器により供給される信号を合成して低比率の散乱放射線を含むＸ線画像を生成するための手段と、
を具備する。
【００１４】
原則として、Ｘ線検出器は、これに入射するＸ線の全部を吸収しないが、その大部分だけは吸収する。これにより、第２のＸ線検出器の検出素子が、第１のＸ線検出器により減衰されたＸ線により突き当てられることになる可能性がある。これは、２つのＸ線検出器からの信号を組み合わせることにより生成されるＸ線画像の品質に有害な作用を及ぼす可能性がある。この有害作用は、請求項５に記載の実施例によって多くが回避される。
【００１５】
開口部が円筒状ならば、或いはそれらの長手方向において一定の断面のものであれば、開口部の上部又は底部エッジは、散乱放射線を特に減衰する可能性がある。一方、請求項６に記載の実施例の場合、散乱放射線は、殆どが減衰しないで開口部を通過することができる。
【００１６】
Ｘ線検出器は、（いわゆるタイル張りで）複数の小さめの副検出器から組み立てられるようにしてもよいことは知られている。これら副検出器は、そうして組み立てられる放射線感応検出領域においてギャップがないようにして配置されなければならないものであり、実用的に達成するのは難しいものである。但し、請求項７に記載の本発明の実施例の場合、この種のギャップが許容され、第１のＸ線検出器により生成される画像は、第２のＸ線検出器において主放射線が突き当たる検出素子からの信号によって、スリットの形態で開口部の領域において補足される。
【００１７】
一方、このようにして生じるスリット形態の開口部は、それらの下に位置する第２のＸ線検出器に属する検出素子が、主放射線だけでなく、Ｘ線のソースの焦点及びスリット形態における開口部を含む面において移りゆく散乱放射線によっても突き当てられるようにする。但し、請求項８に記載の実施例の場合、この散乱放射線が抑制される。
【００１８】
請求項９は、本発明によるＸ線装置に適した検出装置を記述する。開口部の近辺の検出素子の検出作用は、この場合における開口部によって機能することができる。Ｘ線を検出するためにシンチレーション結晶の層を有するＸ線検出器の場合、開口部により殆ど影響の受けない検出作用は、請求項１０に記載の態様により得ることができる。この場合に当該開口部に設けられる光伝導物質は、当該開口部を通過するＸ線のうち殆ど全く吸収しない。
【００１９】
請求項１１〜１３は、第１のＸ線検出器と比較して、第２のＸ線検出器（又はその検出素子）の有利な実施例に関係する。
【００２０】
本発明のこれらの態様及びその他の態様は、以下に説明する実施例を参照して明瞭に説明する。
【発明を実施するための最良の形態】
【００２１】
図１において、参照数字１は、テーブルプレート３により象徴的に表わされる患者披露テーブル上に横たわる患者１０を通過する線束２を放出するＸ線源を指している。テーブルプレート３の下には、地理的な位置の関数として入射したＸ線を電気信号に変換する検出装置が位置づけられる。検出装置４により生成された信号は、制御ユニット５によりディジタル化され、ワークステーション６に供給され、ここで一方では画像処理が行われ、他方ではＸ線源１が接続されるＸ線発生器７において制御も行われる。ワークステーションは、Ｘ線画像が再生されることのできるモニタ８と共働動作する。また、ユーザが制御コマンドを入力することができるようにした入力ユニット９も設けられる。
【００２２】
図２は、検出装置４の詳細を示す断面図であり、被検体１０の一部も、方向が分かり易いように示されている。検出装置４は、互いに距離を置いて配される２つのＸ線検出器４１及び４２を有する。Ｘ線検出器４１は、Ｘ線源１及び検査されつつある被検体１０の近くに位置づけられるものであり、Ｘ線がそれを通じて第２のＸ線検出器４２に達することができるように介在する複数の開口部４１０を具備する。開口部４１０は、水平方向において、かつ図２が描かれる平面に直角にして、互いに等しい距離の間隔が開けられるのが好ましい。
【００２３】
被検体１０からは、図２に示される詳細図において直角に走る主放射線と、被検体内で散乱過程に起因して生じかつ概して当該直角に対して角度をもって走る散乱放射線が発現する。第１のＸ線検出器の各検出素子には、主放射線及び散乱放射線の双方が突き当たることができる。他方において第２のＸ線検出器４２の検出素子のうち、主放射線が突き当たるのはほぼ検出素子４２１だけであり、散乱放射線が突き当たるのはほぼ検出素子４２２だけである。Ｘ線源１の焦点と検出素子４２１とを結ぶ直線は、開口部４１０を通るのに対して、検出素子４２２とＸ線源の焦点とを結ぶ直線は、開口部の外側に延び、Ｘ線検出器４１と交差する。
【００２４】
第１のＸ線検出器４１は、Ｘ線の吸収性の高い材料（例えば鉛など）の層４１２がその後部側に設けられる。この態様で達成されるものは、Ｘ線が開口部４１０を通じてのみ第２のＸ線検出器４２に達することができ、主放射線及び散乱放射線のそれぞれにつき検出素子４２１及び４２２により与えられる測定値が第１のＸ線検出器自体を通じることにより第２のＸ線検出器に突き当たるＸ線放射線によっては変化しないことである。第２のＸ線検出器の後部側にも、既述の種類の層４２３が設けられるようにしてもよい。
【００２５】
層４１２が開口部４１０の領域においても水平に延びるならば、散乱放射線の幾分かは、当該層の底部エッジにより減衰又は吸収される。これが生じるのを回避するため、層４１２は、開口部の領域において斜角が形成（面取り）され、これにより、その領域において、第２のＸ線検出器４２に向かって開けられる円錐状拡大部４１１を作ることは有益である。基本的に、Ｘ線に感応性がありＸ線源の近くに位置する層も、このようにして斜角が形成される場合がある（Ｘ線源に向かって面する円錐状拡大部を作ることになる）が、これは、当該拡大部の領域における検出素子の感度に悪い影響を及ぼしうるものである。
【００２６】
散乱放射線及び主放射線が第２のＸ線検出器４２の入射の面において互いに良好に分離されるため、開口部と第２の検出器との間の距離は、開口部のサイドからサイドの寸法と比較して大きくするのが良く、例えば５ないし１０倍のものとされるのが良い。後者の寸法と比較して当該距離が大きくなるほど、主放射線と散乱放射線との空間上の分離が良好なものとなる。但し、散乱放射線の円錐の光線束が第２のＸ線検出器の入射の面において重なってはならないという事実により第２の検出器と開口部の面との間の距離に上限が設定される。
【００２７】
開口部の寸法は、第２の検出器へ前進することができるように当該検出器の面に対して斜めに走る相当散乱した放射線に対しては十分に大きくするのが良い。検出器が概して１ｍｍの厚さである場合、この条件は、０．５ないし１ｍｍの開口寸法により充足する。放射線透過写真術又は蛍光透視法のためのＸ線検出器の場合、これは、単一の検出素子の寸法の倍数に等しい。当該用途がコンピュータ断層撮影法であり、そのために本発明が同様に適切である場合、これは、検出素子の寸法に概ね等しいものとなる。
【００２８】
図１が示すように、いわゆる中心光線だけがＸ線検出器の入射の面に直角に延びる。さらに外部に向けて位置づけられる光線ビーム２における光線は、こうして開口部４１０を斜めに通過する。これが意味するものは、例えば、これが生じる領域において、開口部の下に直角に位置づけられ第２の検出器のそれら検出素子が主放射線をもはや検出せず散乱放射線を検出することになり、主放射線は、外側にさらに向かって位置づけられる１つ又は複数の検出素子により検出されることである。様々な態様でこうした点を考慮することができる。
【００２９】
第２のＸ線検出器の検出素子の有効面積が、第２のＸ線検出器とＸ線源の焦点との距離が第１の検出器の場合において対応の距離よりも大きい場合と同じ量だけ、第１のＸ線検出器の検出素子の領域よりも大きい場合、開口部（すなわち開口部の領域において欠けている検出素子）と、主放射線を受信する第２のＸ線検出器における検出素子との間に１：１の関係が得られる。
【００３０】
他方、第２の検出器における検出素子は、第１の検出器における検出素子と同じ寸法のものとすることができ、或いは当該検出素子よりも小さいものとすることもできる。受信の幾何学的形状配置は既知なので、個々の開口部毎に、どの検出素子が主放射線により突き当てられるか、そしてどの検出素子が散乱放射線により突き当てられるかを指定することができ、一部のみが主放射線により突き当てられる個々の検出素子からの信号は、必要に応じて、適切な重み係数により処理される。
【００３１】
第２のＸ線検出器における検出素子の幾つかは主放射線にも散乱放射線にも突き当てられない。したがって、これら検出素子は、余分なものとなり、省くことができる。故に、第２のＸ線検出器が、開口部の後方においてＸ線により突き当てられた各領域において検出素子の集団を有していれば、十分である。
【００３２】
開口部４１０は、Ｘ線を吸収しそれを光又は電荷に変換する検出層が開口部のために用いられる領域の外側でのみ形成可能にすることを、適切な手段で、製造過程の一部として確実することによって形成可能であるが、基本的には、検出層も、遡ってこれら領域から除去されることもできる。既に述べたように、開口部の領域におけるＸ線の吸収が第１の検出器によるＸ線の吸収と比べて無視することができることが保証されているならば、開口部を物質のない状態にする必要はない。したがって、シンチレータにより形成される検出層を有するＸ線検出器の場合、開口部は、光伝導性物質により充填されることができ、これが、開口部を、これに隣接する検出素子の特性を殆ど影響の受けないものとすることを導くものとなる。
【００３３】
原則として、各検出素子は、それぞれ導電体を制御し読み込むことによって駆動され読み取られることの可能な光学素子（例えばフォトダイオード）、ＴＦＴスイッチ及び必要に応じて他の構成部を有する。こうして、これら導電体が開口部の周りを走る必要がないので、開口部の領域における適所に残されるよう関係づけられる構成部及び導電体にとって有益なものとなりうる。これら導電体及び構成部は、それほどＸ線を減衰させないように構成されるようにしてもよい。
【００３４】
以下では、図３に示される概略的フローチャートを参照して、散乱放射線の殆ど無いものとされたＸ線画像を２つのＸ線検出器を用いてどのようにして生成することができるかについて明らかにされる。このため、ステップ１００において開始した後、Ｘ線源１は、ステップ１０１においてオンオフ切り換えられ、Ｘ線検出器４１及び４２により生成された画像信号は、ユニット５によりディジタル化され、ディジタル画像値の形式でワークステーション６に記憶される。これら画像値は、２つのＸ線検出器の各々において異なる感度の補償をなすように既知の手法で補正される。必要とされる補正は、適所において被検体なしで及び／又は適所において厳密に既知の吸収曲線を有するキャリブレーティングボディにより、以前のキャリブレーティング測定により決定することができる。
【００３５】
このようにして補正された画像値からは、第１のＸ線検出器４１により生成された画像Ｉ１がその上に重なる放射線を散乱させ、この画像も開口部４１０の領域においてギャップを含む、という条件で、第１の画像Ｉ１及び第２の画像Ｉ２を得ることができる。また、第２のＸ線検出器４２からの画像値から得られる画像Ｉ２は、開口部４１０の領域においてＸ線の強度のみを表す。
【００３６】
検出素子４２２から得られる画像値は、開口部４１０の位置に合致するようにして入射の面にわたり均等に分布する基準ポイントにおいて第１のＸ線検出器の入射の面において生成される散乱放射線の画像を表す。これから、ステップ１０２において、画像Ｉ２２は、低い空間解像度で、第１のＸ線検出器の入射の面における散乱放射線の分布を表すものとして復元される。このため、ゼロの画像値に設定されるライン及び列は、例えば、挿入され、これにより、適切な低域通過カーネルによる畳み込みの後に、画像Ｉ１のものと合致する画素グリッドを有する低空間解像度の画像Ｉ２２を生成するようにすることができる。散乱放射線の割合のさらにもっと改善された判定も可能であり、その理由は、検出４２２が散乱放射線の量だけでなく、開口部４１０に関係したそれぞれの位置による、その方向をも検出するからである。
【００３７】
散乱放射線の分布が検査されつつある被検体１０の下流の空間において少しだけ変化するので、画像Ｉ２２の低い空間解像度は、開口部４１０の間の距離を適切に選べば十分である。この距離は、個々の検出素子の寸法より１０〜１００倍も大きいものとすることができる。検出器が例えば２０００×２０００の検出素子を有する場合、２０×２０の均等に分散した開口部４１０で十分である。
【００３８】
ステップ１０３において、散乱放射線の画像Ｉ２２は、そこでは第１のＸ線検出器により与えられた画像Ｉ１から画素毎に減算され、その差を、開口部４１０により画像Ｉ１において欠落している画素に対してゼロに設定している。そして、結果として得られる画像Ｉ１０は、散乱放射線の割合をほぼ皆無とした後に第１の検出器からの画像、すなわちほぼ主放射線だけで決定される画像を表す。
【００３９】
開口部４１０により生じるこの画像のギャップは、第２の検出器の検出素子４２１から生じるとともに開口部４１０を通過する主放射線に対応する画像値Ｉ２１により、ステップ１０４において充填される。結果として得られる画像Ｉは、大幅に低減された割合の散乱放射線を含む高空間解像度のＸ線画像である。この後、本方法は、終了となる（ブロック１０５）。
【００４０】
本発明による方法は、複数の副検出器から組み立てられるＸ線検出器の場合にも有利に用いることができる。これら副検出器は、この場合、Ｘ線に感応性のある入射の面においてギャップが現れないように配置しなければならない。これは、実用上問題であるが、隣接の副検出器間において１つ又は複数の検出素子に対して幅の等しいギャップを許容することによって深刻さを緩和することができる。そして、図２に示される図は、この種の検出器にも当てはまるが、開口部４１０は、円形又は四角ではなく、図２が描かれるところの平面に直角なスリットの形態とされる。これらスリットの領域における第１のＸ線検出器からの画像に現れるギャップは、当該スリットの下に位置づけられ主放射線が突き当たる第２のＸ線検出器の検出素子からの信号により再度充填されるようにしてもよい。
【００４１】
但し、これらスリットの領域において、検出素子は、当該スリットを含む平面において走る散乱放射線が突き当たるようにしてもよい。散乱放射線のこの割合は、慣例的な手法において生成されるＸ線画像と比較していずれにしても既に減少させられたものであるが、分裂形態で開口部に直角に延びるバッキー型ストリップによりさらに一層、低減させることができる。ここでのストリップは、Ｘ線検出器の焦点に交差する平面において延びるものとされる。
【００４２】
本発明は、個々の（レントゲン写真の）Ｘ線画像を生成する手段としてのＸ線装置の部材、特にマンモグラフィに適用可能である。但し、本発明は、コンピュータ断層撮影法、特にマルチラインコンピュータ断層撮影法にも用いることができるものであり、その場合、各個々の視界、すなわち所定の角度位置において放射線源及び検出装置を有するシステムにより個々の検出素子により撮影される各Ｘ線画像は、図１ないし図３について説明した態様で処理される。本発明は、空間のボリュームを表す３次元画像を生成することを可能にする他のＸ線システムにも適用可能であり、最終的にはダイナミックＸ線検出器を用いて透過照射又は蛍光透視法のためのＸ線装置にも適用することができる。
【図面の簡単な説明】
【００４３】
【図１】本発明によるＸ線装置を示す図。
【図２】このＸ線装置に用いられる検出装置を示す図。
【図３】本発明による方法のフローチャート。
【図１】
2009533125.tif 000003
【図２】
2009533125.tif 000004
【図３】
2009533125.tif 000005
【国際調査報告】
2009533125.tif 000006
2009533125.tif 000007
2009533125.tif 000008